(57)【要約】  【課題】フックの取り出し時及び格納時における作業効率を向上させ、且つ、フックの振動音の発生を抑止するとともに部品の損傷を防止する。  【解決手段】スイベルジョイント部を有する吊荷作業用のフックが格納位置に回動できるように取り付けられたフック格納装置付きバケットリンクにおいて、前記バケットリンクの底板に、前記フックのスイベルジョイント部を挟持する開閉可能な弾性ホルダーと、該弾性ホルダーを閉鎖状態又は開放状態に切り替えるロック用レバーとを設け、前記フックの格納時に、前記弾性ホルダーを閉鎖状態に設定することにより、前記フックを挟持固定できるように構成した。【選択図】図１
2011021440.tif 000002
【特許請求の範囲】
【請求項１】
スイベルジョイント部を有する吊荷作業用のフックが格納位置に回動できるように取り付けられたフック格納装置付きバケットリンクにおいて、前記バケットリンクの底板に、前記フックのスイベルジョイント部を挟持する開閉可能な弾性ホルダーと、該弾性ホルダーを閉鎖状態又は開放状態に切り替えるロック用レバーとを設け、前記フックの格納時に、前記弾性ホルダーを閉鎖状態に設定することにより、該弾性ホルダーの挟持力により前記フックを固定できるように構成したことを特徴とするフック格納装置付きバケットリンク。
【請求項２】
上記ロック用レバーは、上記弾性ホルダーを閉鎖状態にする位置に固定されているとき、上記フックの回動移動を規制する回り止め部材として機能することを特徴とする請求項１記載のフック格納装置付きバケットリンク。
【発明の詳細な説明】
【技術分野】
【０００１】
本発明はフック格納装置付きバケットリンクに関するものであり、特に、油圧ショベル等におけるバケットとバケットシリンダとの間に連結されたフック格納装置付きバケットリンクに関するものである。
【背景技術】
【０００２】
従来、油圧ショベル等の建設機械は、下部走行体上に上部旋回体が旋回可能に搭載され、該上部旋回体の前部にブ−ムが俯仰動可能に枢着されている。更に、該ブームの先端部にアームが俯仰動可能に連結されていると共に、該アームの先端部にブームが上下回動可能に取り付けられている。これらブーム、アーム及びバケットは夫々ブームシリンダ、アームシリンダ及びバケットシリンダにより駆動される。
【０００３】
前記建設機械においては、掘削作業に加えてクレーン作業を行えるようにするために、バケットの背面側に吊荷作業用のフックを配設したものがある。図７は此種油圧ショベルにおけるバケット１、バケットシリンダ２及びアーム３の連結部分を示す。同図に示すように、アーム３の先端部には枢軸４を介してバケット１が回動可能に取り付けられていると共に、該バケット１を駆動するバケットシリンダ２が装備されている。又、アーム３の先端部近傍にはアームリンク６の下端部が枢着され、該アームリンク６の上端部はバケットシリンダ２のロッド２a先端部と共に、バケットリンク７の上端部に枢軸８を介して連結されている。
【０００４】
更に、バケットリンク７の下端部は枢軸９を介してバケット１の背面部に枢着され、また、バケットリンク７の下端部には吊荷作業用のフック１０がバケットリンク７の下側に突出した状態で取り付けられている。該フック１０は、バケットリンク７の下端部に取り付けられた基端部１０Ａと、吊りロープ１１が掛止される鉤部１０Ｂと、該鉤部１０Ｂを基端部１０Ａに対して回動可能に連結するスイベルジョイント部１０Ｃとから成る。
【０００５】
前記バケットリンク７としては、フック１０を格納する装置を備えたものが知られている。図８は、フック格納装置付きバケットリンク７の構成例を示す。同図に示すように、フック１０の基端部１０Ａは、バケット側ボス部１２にて枢軸１９に上下回動可能に枢着されている。また、バケットリンク７の底板１３上には、ピン孔１４aを有するピン支持部材１４が設けられ、該ピン孔１４aには固定ピン１５が挿着されている。さらに、固定ピン１３とピン支持部材１４には夫々ロック孔（図示せず）が同軸上に穿設され、該ロック孔にはピン抜け止め用の抜け止めピン１８が取り外し可能に挿着されている。
【０００６】
上記の構成により、フック１０の不使用時には、該フック１０をバケットリンク７内に倒伏状態にて格納し、フック１０の鉤部１０Ｂ内面に固定ピン１５を係止させてフック１０を固定する。また、フック１０の使用時には、前記固定ピン１５によるフック１０の固定を解除した後に、フック１０を起立方向に回動させて、図７に示すように、該フック１０をバケットリンク７の下側に突出させる。なお、符号１６，１６はバケットリンク７の幅方向両側に設けた側板であり、また、符号１７，１７はバケットシリンダ側ボス部である（特許文献１参照）。
【先行技術文献】
【特許文献】
【０００７】
【特許文献１】特開２００３−１２２６７号公報
【発明の概要】
【発明が解決しようとする課題】
【０００８】
上記特許文献記載のバケットリンクは、底板にピン支持部材が固設され、且つ、該ピン支持部材に形成したピン孔に固定ピンが抜脱可能に挿着されている。又、固定ピンは抜け止めピンによりピン支持部材に対する抜け止めが施されている。
【０００９】
従って、フックの格納時又は取出し時には、固定ピンをフックの鉤部内側に挿入又は抜脱させた後に、固定ピン及びピン支持部材のロック孔に抜け止めピンを挿入又は抜脱させる必要がある。
【００１０】
このように従来のバケットリンクにおいては、フックを格納又は取出す際は、その都度、固定ピンの抜き差し作業のみならず抜け止めピンの抜き差し作業が必要になるので、フックの格納作業及び取出し作業が煩雑になり作業効率が低下する。
【００１１】
又、油圧ショベルで掘削作業を行うときは、フックの鉤部内側に固定ピンを挿入・係止させてフックを固定しているが、該固定ピンと鉤部との間に隙間（ガタ）が存在するために、掘削作業に伴う機械的な振動が固定ピンとフックに伝達して、該固定ピンとフックが振動によりガタツキを生じて周囲に大きな騒音が発生する。更に、前記振動により固定ピン等の部品に曲げ変形が生じて、該部品が損傷し易いという問題があった。
【００１２】
そこで、フックの格納時又は取出し時における作業効率を向上させ、且つ、振動による騒音を抑止するとともに部品の損傷を防止するために解決すべき技術的課題が生じてくるのであり、本発明はこの課題を解決することを目的とする。
【課題を解決するための手段】
【００１３】
本発明は上記目的を達成するために提案されたものであり、請求項１記載の発明は、スイベルジョイント部を有する吊荷作業用のフックが格納位置に回動できるように取り付けられたフック格納装置付きバケットリンクにおいて、前記バケットリンクの底板に、前記フックのスイベルジョイント部を挟持する開閉可能な弾性ホルダーと、該弾性ホルダーを閉鎖状態又は開放状態に切り替えるロック用レバーとを設け、前記フックの格納時に、前記弾性ホルダーを閉鎖状態に設定することにより、該弾性ホルダーの挟持力により前記フックを固定できるように構成したことを特徴とするフック格納装置付きバケットリンクを提供する。
【００１４】
この構成によれば、フックをバケットリンク内の格納位置に固定する際は、ロック用レバーの操作を切り換えて弾性ホルダーを閉鎖状態に設定して、フックのスイベルジョイント部を弾性ホルダーの挟持力によって固定する。この後、フックをバケットリンクから取り出す際は、ロック用レバーの操作を切り換えて、弾性ホルダーの弾性的な復元力により該弾性ホルターが開放状態に設定される。これにより、弾性ホルダーによるフックの挟持固定が解除されるため、フックをバケットリンクの外側に回動させて使用可能な突出状態に設定できる。    
【００１５】
請求項２記載の発明は、上記ロック用レバーは、上記弾性ホルダーを閉鎖状態にする位置に設定されているとき、上記フックの回動移動を規制する回り止め部材として機能することを特徴とする請求項１記載のフック格納装置付きバケットリンクを提供する。
【００１６】
この構成によれば、ロック用レバーは、弾性ホルダーが閉鎖状態になるように操作位置を設定すると、ロック用レバーの一部はフックに対して当接可能に位置する。依って、ロック用レバーによりフックの回動移動が規制される。
【発明の効果】
【００１７】
請求項１記載の発明は、フックの格納時又は取出し時には、ロック用レバーの操作のみで対応できるので、従来必要であった固定ピン及び抜け止めピンの抜き差し作業が不要になり、フックの格納作業及び取出し作業を容易迅速に実施でき、従来例に比して作業効率を向上させることができる。
【００１８】
又、フックの格納時、弾性ホルダーはフックのスイベルジョイント部の外周面に密着して挟持固定するので、掘削作業時にフックが振動することを効率良く阻止でき、以て、フックの振動に起因する騒音の発生を抑止することができる。さらに、従来必要であった固定ピン、ピン支持部材及び抜け止めピンが不要になり、構成が簡素化するのみならず、振動に伴う部品の損傷を無くすことができる。
【００１９】
請求項２記載の発明は、フックの格納時に、ロック用レバーはフックの回動を阻止する回り止め部材として機能するので、請求項１記載の発明の効果に加えて、フックに振動等の外力が作用した場合でも、フックが回動することを抑制することができる。
【図面の簡単な説明】
【００２０】
【図１】本発明の一実施例を示し、フック格納時におけるバケットリンクの平面図。
【図２】図１の側面図。
【図３】図１のＡ−Ａ線に沿う部分断面図。
【図４】図２のＢ−Ｂ線に沿う部分断面図。
【図５】本実施例に係るフック開放時におけるバケットリンクの側面図。
【図６】図５のＣ−Ｃ線に沿う部分断面図。
【図７】従来例を示し、油圧ショベルにおけるバケットリンクの取り付け部分を説明する側面図。
【図８】従来例を示し、フック格納装置付きバケットリンクの斜視図。
【発明を実施するための形態】
【００２１】
本発明は、フックの格納時又は取出し時における作業効率を向上させ、且つ、振動による騒音を抑止するとともに部品の損傷を防止するという目的を達成するために、スイベルジョイント部を有する吊荷作業用のフックが格納位置に回動できるように取り付けられたフック格納装置付きバケットリンクにおいて、前記バケットリンクの底板に、前記フックのスイベルジョイント部を挟持する開閉可能な弾性ホルダーと、該弾性ホルダーを閉鎖状態又は開放状態に切り替えるロック用レバーとを設け、前記フックの格納時に、前記弾性ホルダーを閉鎖状態に設定することにより、前記フックを挟持固定できるように構成したことによって実現した。
【実施例１】
【００２２】
以下、本発明の好適な実施例を図１乃至図６に従って説明する。本実施例は、クレーン機能を有する油圧ショベルのバケットとバケットシリンダとを連結するフック格納装置付きバケットリンクに適用したものである。尚、図７及び図８の従来例と同一の構成部分には同一符号を付してその説明を省略するものとする。
【００２３】
図１はバケットリンクのフック格納時を示す平面図、図２は図１の側面図である。図に示すように、バケットリンク２１は、所定間隔を有して対峙する左右一対の側板１６，１６と、該側板１６，１６の長手方向中央部下面同士を連結する底板１３とを有している。該側板１６，１６の下端部にはフック用のボス部２２，２２が形成され、該ボス部２２，２２には枢軸（図示せず）を介してバケット（図７の符号１参照）が枢着されている。また、側板１６，１６の上端部にはバケットシリンダ用ボス部１７，１７が形成され、該ボス部１７，１７に枢軸（図示せず）を介してバケットシリンダのロッド（図７の符号２a参照）が枢着されている。      
【００２４】
更に、バケットリンク２１の下端部には、吊荷作業用のフック２３がバケットリンク２１の外側に突出できるように回動可能に取り付けられている。該フック２３は、バケットリンク２１の下端側ボス部２２，２２に上下回動可能に取り付けられた基端部２４と、吊りロープが掛止される鉤部２５と、該鉤部２５を前記基端部２４に対して回転可能に連結するスイベルジョイント部２６（図３参照）とから成る。従って、フック２３はボス部２２，２２を中心として回動させることにより、格納位置と使用位置との間を回動できるように構成されている。
【００２５】
前記フック２３は格納位置に移動すると、バケットリンク２１内の底板１３上面に倒伏状態で収納される。また、フック２３を取り出して使用位置に回動させると、フック２３はバケットリンク２１の外側にて使用可能な突出状態にセットされる。
【００２６】
更に、バケットリンク２１の底板１３上には左右一対の弾性ホルダー２７，２７とロック用レバー２８，２８とが設けられている。弾性ホルダー２７，２７は変形自在な弾性材、例えば、所要のフレキシブル性を有するばね鋼板から構成されている。本実施例では、弾性ホルダー２７，２７は、図４に示すように、外方に膨出する湾曲形状に形成され、スイベルジョイント部２６の外周面に密着する円弧状面部を有している。
【００２７】
又、左右一対の弾性ホルダー２７，２７同士は互いに開閉可能（離反接近可能）に構成されている。弾性ホルダー２７，２７は閉鎖状態では、フック２３のスイベルジョイント部２６の外周面を左右両側から挟持固定し、また、開放状態では、スイベルジョイント部２６の外周面から離反して、スイベルジョイント部２６に対する挟持固定を解除する。
【００２８】
前記弾性ホルダー２７，２７は、常時は相互の間隔を前記フック２３の挿入を許容できる寸法を保持すべく開放状態に設定されており、且つ、前記フック２３を挟着して前記ロック用レバー２８，２８により、該フック２３を弾性ホルダー２７，２７にて強固に固定できるように構成されている。
【００２９】
図２に示すように、一方のロック用レバー２８は逆Ｌ字状部を有し、該逆Ｌ字状部の一側端部（図２における左側端部）にはスイベルジョイント部２６よりも上方に延出する操作部２８ａが突設されている。ロック用レバー２８，２８は、弾性ホルダー２５，２５を閉鎖状態又は開放状態に切り替えるべく、フック２３の軸方向に回動操作される。すなわち、ロック用レバー２８，２８の下端部は底板１３に回動可能に取り付けられている。
【００３０】
本実施例では、ロック用レバー２８，２８の下端部同士は連結部材３１により連結され、該連結部材３１は、図３に示すように、底板１３にボルト２９，２９にて固定された板バネ３０の先端側屈曲部の内側に回動可能に取り付けられている。
【００３１】
上記の構成により、ロック用レバー２８，２８は連結部材３１を中心として上下方向に起伏可能に回動操作できるように構成されている。これにより、ロック用レバー２８，２８は、弾性ホルダー２７，２７を閉鎖状態に設定するロック位置と、弾性ホルダー２７，２７を開放状態に設定するアンロック位置とに切替え操作することができる。
【００３２】
ロック用レバー２８,２８は、弾性ホルダー２７，２７を閉鎖状態にする位置に操作したとき、フック２３の回動移動を規制する回り止め部材として機能する。具体的には、ロック用レバー２８,２８における鉤部２５側の端部（図３における右側端部２８ｂ）は、ロック用レバー２８,２８がロック位置にあるときには、鉤部２５の外側面に当接可能に位置している。このため、ロック用レバー２８,２８がロック位置にあるときは、ロック用レバー２８,２８により鉤部２５の回動動作が規制されるために、スイベルジョイント部２６におけるフック２３の回動が阻止される。
【００３３】
叙上の如く本発明によると、フック２３をバケットリンク２１内の格納位置に固定する際は、ロック用レバー２８，２８をフック２３の基端部２４側に起立操作することによって、左右一対の弾性ホルダー２７，２７が閉鎖状態に設定される。この状態では、弾性ホルダー２７，２７同士が離反して拡開しようとしても、ロック用レバー２８，２８により弾性ホルダー２７，２７の外側面が内側に押圧されるため、弾性ホルダー２７，２７の拡開作用が抑止される。その結果、フック２３のスイベルジョイント部２６の外周面が弾性ホルダー２７，２７によって挟持固定される。
【００３４】
この後、図５及び図６に示すように、格納状態のフック２３をバケットリンク２３から取り出す際は、ロック用レバー２８，２８をフック２３の鉤部２５側に倒伏操作することによって、左右一対の弾性ホルダー２７，２７が開放状態に復帰する。そのため、弾性ホルダー２７，２７によるフック２３の挟持固定が解除される結果、フック２３をバケットリンク２１の外側に回動させて、該フック２３を使用可能な突出状態にすることができる。
【００３５】
斯くして、フック２３の格納時又は取出し時には、ロック用レバー２８，２８の操作のみでフック２３の固定または固定解除を実行できるので、フック２３の格納作業及び取出し作業を容易迅速に実施でき、以て、作業効率を大幅に向上させることができる。
【００３６】
又、フック２３の格納時、弾性ホルダー２７，２７は、フック２３のスイベルジョイント部２６の外周面に密着してフック２３を挟持固定するので、掘削作業時にフック２３が振動することを阻止できる。従って、フック２３の振動に起因する騒音の発生を抑止でき、同時に、振動に伴う部品の損傷を無くすことができる。さらに、従来必要であった固定ピン、ピン支持部材及び抜け止めピン等の部品が不要になるので、構成の簡素化が可能になり部品点数の低減化に寄与し得る。
【００３７】
本実施例によれば、フック２３の格納時、すなわち、ロック用レバー２８，２８が弾性ホルダー２７，２７を閉鎖位置に操作された状態では、ロック用レバー２８,２８により鉤部２５の回動が規制される。従って、フック２３の回動が阻止されるので、掘削作業時に、フック２３に振動等により外力が作用した場合でも、フック２３が回動する虞がなく、該フック２３を格納位置に安定して固定することができる。
【００３８】
なお、本発明は、本発明の精神を逸脱しない限り種々の改変を為すことができ、そして、本発明が該改変されたものに及ぶことは当然である。
【産業上の利用可能性】
【００３９】
本発明は、フック格納装置付きバケットリンクを備えた作業機械であれば、例えばホィールショベル等の作業機械全てに適用可能である。
【符号の説明】
【００４０】
２１  バケットリンク
２３  フック
２４  基端部
２５  鉤部
２６  スイベルジョイント部
２７  弾性ホルダー
２８  ロック用レバー
３０  板バネ  
【図１】
2011021440.tif 000003
【図２】
2011021440.tif 000004
【図３】
2011021440.tif 000005
【図４】
2011021440.tif 000006
【図５】
2011021440.tif 000007
【図６】
2011021440.tif 000008
【図７】
2011021440.tif 000009
【図８】
2011021440.tif 000010